(57)【要約】  【課題】庫内照明が庫内に突出して設置されていると、収納物の取り出し収納棚の取り外しが困難となる。また、ＬＥＤは指向性が強く、照射光度も一般的な電球等よりも弱いため、効率的に庫内を照射するためには照射光を遮らない構成が必要である。  【解決手段】収納室１内の壁面のうち少なくとも一つ以上の壁面に設けた凹部６内に、ＬＥＤ８を光源とした庫内照明７を設け、凹部６の各面がＬＥＤ８の照射光を遮らない構成とすることで、庫内照明７は収納室１内へ突出せず、ＬＥＤ８の照射光を遮らない視認性の良い効率的な照射が可能となる。【選択図】図１
2008073153.tif 000002
【特許請求の範囲】
【請求項１】
収納庫内の壁面のうち少なくとも一つの壁面に設けた凹部内に、ＬＥＤを光源とした庫内照明を設け、前記凹部の立ち上がり各面が前記ＬＥＤに定められた照射範囲を阻害しない位置構成としたことを特徴とする収納庫。
【請求項２】
前記凹部の各面と前記ＬＥＤに定めた所定の指向角方向への照射光が阻害されない位置構成としたことを特徴とする請求項１に記載の収納庫。
【請求項３】
前記ＬＥＤをプリント基板に実装したことを特徴とする請求項１または請求項２に記載の収納庫。
【請求項４】
前記凹部を少なくとも一つの側壁面に設けたことを特徴とする請求項１から請求項３のいずれか一項に記載の収納庫。
【請求項５】
前記凹部の立ち上がり各面と前記庫内照明の取付け面とにそれぞれ所定の角度を設けたことを特徴とする請求項１から請求項４のいずれか一項に記載の収納庫。
【発明の詳細な説明】
【技術分野】
【０００１】
本発明は、収納物を照射する庫内照明を設置した収納庫に関するものである。
【背景技術】
【０００２】
近年、収納庫内照明として、従来の白熱灯や電球に変わり、発熱性が低い、赤外線波長がでない、低電圧駆動できる等の理由で半導体発光素子を用いるものが発売され始めている。
【０００３】
従来の発光ダイオードを照明装置として利用した収納庫としては、複数の発光ダイオードを正方形に配置し、庫内天面に設置して庫内照射しているものがある（例えば、特許文献１参照）。
【０００４】
図４は特許文献１に記載された従来の冷蔵庫の製氷室の庫内照明の斜視図であり、図５は図４の従来の冷蔵庫の庫内照明を製氷室の庫内天面に設置した概略図を示すものである。
【０００５】
図５の庫内照明１０１において、実装基板１０２は平板状で、一面または両面に回路パターン（図示せず）が形成され、熱伝導性の良好なエポキシ樹脂系の基板や絶縁金属基板を使用する。白色ＬＥＤ１０３は砲弾状に形成され、ＧａＮ系の青色ＬＥＤからの青色光を用いて蛍光材を励起して白色光を得る構造で、電流を通電する２本の通電端子１０４が導出される。
【０００６】
断熱板１０５は、ウレタン等の樹脂により平板状に形成され、複数の挿通孔が並設されて、実装基板１０２と発光ダイオード１０３との間に設けられる。ここで、発光ダイオード１０３は通電端子１０４が断熱板１０５の挿通孔に挿通され、実装基板１０２の回路パターンに半田付けされて実装され、複数個が実装基板１０２に並設される。尚、発光ダイオード１０３の発熱量が少ない場合には、断熱板１０５は廃止しても構わない。
【０００７】
図５において、庫内照明１０１は、製氷室１０６の庫内の天面１０７に配置されている。
【０００８】
以上のように構成された発光ダイオードを庫内照明として利用した収納庫について、以下その動作を説明する。
【０００９】
まず、収納庫の扉が閉まっている時には、発光ダイオード１０３への通電は行なわず、庫内は照射されていない。扉が開けられると、機械式スイッチやホールＩＣ等の電子式スイッチで開扉状態と判断され、発光ダイオード１０３に順方向電流が流れて、白色光が発光されて庫内が照射される。
【特許文献１】特開２００１−８２８６９号公報
【発明の開示】
【発明が解決しようとする課題】
【００１０】
しかしながら、上記従来の構成では、庫内照明が庫内に突出して設置されていると、収納物の取り出し収納棚の取り外しが困難となる。
【００１１】
また、ＬＥＤは指向性が強く、照射光度も一般的な電球等よりも弱いため、効率的に庫内を広く照射するためには照射光を遮らない構成が必要である。もし、照射方向に遮蔽物があると、照射光が反射して光の届かない空間が発生する。
【００１２】
例えば、庫内照明が収納庫の庫内天井面に配置されると、収納庫内に庫内を分割する収納棚がある場合、収納棚の下側の収納物の視認性は収納棚そのものや収納棚上に置かれた収納物により影が発生することにより悪化する。これは、一般家庭用冷蔵庫のように、複数の収納棚を有する場合においては、収納棚が下段になるほど顕著となる。
【００１３】
本発明は、上記従来の課題を解決するもので、庫内照明が庫内に突出することなく、効率良く庫内を照射でき、また、収納庫内の保存物の上下位置関係に関わらず保存物の視認性を向上させる庫内照明を有する収納庫を提供することを目的とする。
【課題を解決するための手段】
【００１４】
上記従来の課題を解決するために、本発明の収納庫は、収納庫内の壁面のうち少なくとも一つ以上の壁面に設けた凹部内に、ＬＥＤを実装した基板を庫内照明として設け、凹部の各面とＬＥＤに定められた照射範囲とが干渉しない位置構成としたものである。
【００１５】
これによって、庫内照明が庫内に突出することなく、また、ＬＥＤの照射光を遮ることなく広範囲を照射でき、視認性の良い効率的な照射が可能となる。
【００１６】
また、本発明の収納庫は、凹部の立ち上がり各面とＬＥＤに特有の指向角方向への照射光を阻害しない位置構成としたものである。
【００１７】
これによって、最大光度に対して所定の割合で定めた指向角方向への照射光を有効な照射光として遮ることなく庫内を照射し、この指向角以上の照射光を無効として無視することで、効率的な構成をとることができる。
【００１８】
また、本発明の収納庫は、ＬＥＤをプリント基板に実装したものである。
【００１９】
これによって、複数のＬＥＤを光源とする際にも複雑な配線が必要なく、庫内照明の取り付けが容易となる。
【００２０】
また、本発明の収納庫は、凹部を少なくとも一つ以上の側壁面に設けたものである。
【００２１】
これによって、収納物の側面から照射でき、天井面や背面に照明装置を配設した場合と比較して、使用者から見た収納物の収納物による影の発生が抑制され、収納物の視認性を格段に向上することができる。
【００２２】
また、本発明の収納庫は、凹部の各面と庫内照明の取付け面とにそれぞれ所定の角度を設けたものである。
【００２３】
これによって、照射光を遮らない構成をとるための壁面や凹部の形状を自由に設定でき、壁面の強度を考慮した構成や他部品での照射光の進行を阻害するのを避ける構成が容易になる。
【発明の効果】
【００２４】
本発明の収納庫は、収納物による影の発生を抑制することができ、また庫内照明が庫内に突出することもなく、さらにはＬＥＤの照射光を遮ることなく、視認性の良い効率的な照射が可能となる。
【発明を実施するための最良の形態】
【００２５】
請求項１に記載の発明は、収納庫内の壁面のうち少なくとも一つ以上の壁面に設けた凹部内に、ＬＥＤを光源とした庫内照明を設け、前記凹部の各面と前記ＬＥＤに定められた照射範囲とが阻害しない位置構成としたことにより、庫内照明が庫内に突出することもなく、さらにはＬＥＤの照射光を遮ることなく広範囲を照射できるため、視認性の良い効率的な照射が可能となる。
【００２６】
請求項２に記載の発明は、請求項１に記載の構成において、前記凹部の立ち上がり各面と前記ＬＥＤに定めた所定の指向角方向への照射光が阻害しない位置構成としたことにより、最大光度に対して所定の割合で定めた指向角方向への照射光を有効な照射光として遮ることなく庫内を照射し、この指向角以上の照射光を無効として無視することで、前記凹部の容積を最小限にすることができ、効率的な構成をとることができる。ここで述べている立ち上がり面とは凹部取り付け面に対してα角度を有するＬＥＤの照射光を遮る可能性のある面と定義する。
【００２７】
請求項３に記載の発明は、請求項１または請求項２に記載の構成において、前記ＬＥＤをプリント基板に実装したことにより、複数のＬＥＤを光源とする場合にも基板に一体化されるため、複雑な配線が必要なく、庫内照明の取り付けが容易となる。
【００２８】
請求項４に記載の発明は、請求項１から請求項３のいずれか一項に記載の構成において、前記凹部を少なくとも一つ以上の側壁面に設けたことにより、収納物の側面から照射でき、天井面や背面に庫内照明を配設した場合と比較して、使用者から見た収納物の影の発生が抑制されるため、収納物の視認性を格段に向上することができる。
【００２９】
請求項５に記載の発明は、請求項１から請求項４のいずれか一項に記載の構成において、前記凹部の各面と前記庫内照明の取付け面とにそれぞれ所定の角度を設けたことにより、照射光を遮らない構成をとるための壁面や凹部の形状を自由に設定できるため、壁面の強度を考慮した構成や他部品との干渉避ける構成が容易になる。
【００３０】
以下、本発明の実施の形態について、図面を参照しながら説明する。尚、この実施の形態によってこの発明が限定されるものではない。
【００３１】
（実施の形態１）
図１は本発明の実施の形態１における収納庫の縦断面図、図２は本発明の実施の形態１における収納庫の左側壁の平面断面図、図３は本発明の実施の形態１におけるＬＥＤの指向角特性図である。
【００３２】
図１から図２において、収納室１は外壁２と内壁３の間に断熱材４を注入した断熱壁５によって周囲と断熱して構成された冷蔵庫の一室の様態をなし、断熱壁５の庫内左右に設けられた凹部６に庫内照明７が埋設されている。本実施の形態において、この庫内照明７はＬＥＤ８を光源としてプリント基板９上に実装したものとする。
【００３３】
ＬＥＤ８は縦長のプリント基板９上に縦列に複数配置され、庫内の各収納棚１０上を均一に照射することができる。
【００３４】
また、庫内照明７は断熱壁５の左右でも扉（図示せず）に近い側に設置され、庫内奥に向けてある程度の角度を設けた凹部取り付け面１１に取り付けられている。これは、なるべく使用者に近い側から奥方向を照射することによって、使用者にとって正面から対象物を照射するわけであるから食品等の識別が判り易く、尚且つ表面状態で鮮度を簡単に認識でき天面や背面からの照射方法に比べると格段の照明効果を発揮できる。
【００３５】
凹部６に埋設された庫内照明７は、ランプカバー１２によって覆われている。これらを、エポキシ、アクリル、ポリカーボネート、ポリエチレン、ポリスチレン、ポリプロピレンＡＢＳなどの樹脂のうち、一つの材料もしくは複合材料をベース材として形成することにより、ランプカバー１２を自由な形状に成型加工できるので、容易な取り付け設計が可能になる。ランプカバー１２は庫内照明７の照射光を収納庫内に拡散または透過照射するものである。
【００３６】
以上の構成において、庫内照明７は収納室１内を照射するが、凹部６内に庫内照明７を取り付ける構成においては、凹部上面１３によって庫内上方向への照射光を、凹部下面１４によって庫内下方向への照射光を、凹部側面１５によって庫内奥方向への照射光を遮られないように構成する必要がある。
【００３７】
もし、照射方向に遮蔽物があると、照射光が反射して光の届かない空間が発生する可能性がある。これによって収納室１内の照度にムラが発生し、視認性を低下させてしまう。
【００３８】
また、収納庫の構成上の都合によっては、庫内照明７の取り付け位置に制限が加えられることも考えられる。例えば、他部品と庫内照明７が干渉し、収納室１の上方から下方まで庫内照明７を伸ばせない場合である。このとき、収納室１の上方と下方の照度は比較的低くなってしまうが、本実施の形態のように照射方向に遮蔽物が無ければある程度の照度を保つことも可能である。
【００３９】
このため、本実施の形態では、凹部取り付け面１１と凹部上面１３、凹部下面１４、凹部側面１５との角度をαと設定し、照射範囲１６と干渉しない構成をとっている。例えば図１、図２の構成でαが小さくなると、凹部各面が照射範囲１６を遮ってしまうことは明白である。この角度αはそれぞれ異なる角度に設定してもよい。
【００４０】
また、角度αを小さくせざるを得ない際には、プリント基板９の最端に実装されたＬＥＤ８と凹部各面との距離を大きくとることで、照射範囲１６を遮らない構成が可能である。
【００４１】
ただし、本実施の形態のように、適切な角度αを設ける構成は有効容積１７の分だけ断熱材４の充填量を多くとることができ断熱性と強度に優れる。また、有効容積１７内に配線を通したり、他の部品を設けたりすることもできる。
【００４２】
また、ＬＥＤの指向角は図３に示した特性図で示され、照射角βはＬＥＤが発する全ての照射範囲を網羅するように定めているが、例えば図３で示すように最大光度１９が５０％に減衰する指向角Ｄを定め、照射角βを最大指向角Ｄとしてもよい。このように指向角Ｄ外の照射光を無効とみなすことで、角度αを小さくする等によって凹部６の容積を削減することもできる。照射光が阻害されない位置構成は、基本的にα≧β／２が照射光（β）・凹部縁間クリアランスγ≧０の条件で成立する。
【００４３】
以上のように、本実施の形態においては、収納室１内の壁面のうち少なくとも一つ以上の壁面に設けた凹部６内に、ＬＥＤ８を光源とした庫内照明７を設け、凹部５の各面がＬＥＤ８の照射光を遮らない構成としたことにより、庫内照明７が収納室１内に突出することなく、さらにはＬＥＤ８の照射光を遮ることがないため、視認性の良い効率的な照射が可能となる。
【００４４】
また、凹部６の各面がＬＥＤ８に定めた所定の指向角方向への照射光を遮らない構成としたことにより、最大光度に対して所定の割合で定めた指向角Ｄ方向への照射光を有効な照射光として遮ることなく収納室１内を照射し、指向角Ｄ以上の無効とした照射光を無視することで、凹部６の容積を最小限にすることができ、効率的な構成をとることができる。
【００４５】
また、ＬＥＤ８をプリント基板９に実装したことにより、複数のＬＥＤを光源とする場合にもプリント基板９に一体化されるため、複雑な配線が必要なく、庫内照明７の取り付けが容易となる。
【００４６】
また、凹部６を少なくとも一つ以上の側壁面１８に設けたことにより、収納物の側面から照射でき、天井面や背面に庫内照明７を配設した場合と比較して、使用者から見た収納物の影の発生が抑制されるため、収納物の視認性を向上することができる。
【００４７】
また、凹部６の立ち上がり各面と庫内照明７の凹部取付け面１１とにそれぞれ所定の角度αを設けたことにより、照射光を遮らない構成をとるための壁面や凹部６の形状を自由に設定できるため、壁面の強度を考慮した構成や他部品での照射光の進行を阻害するのを避ける構成が容易になる。
【産業上の利用可能性】
【００４８】
以上のように、本発明にかかる収納庫は、例えば、家庭用又は業務用冷蔵庫のような庫内照明を備えた電気製品を始め、物品貯蔵装置など庫内照明を適用する幅広い設備機器に応用できるものである。
【図面の簡単な説明】
【００４９】
【図１】本発明の実施の形態１における収納庫の縦断面図
【図２】本発明の実施の形態１における収納庫の左側壁の平面断面図
【図３】本発明の実施の形態１におけるＬＥＤの指向角特性図
【図４】従来の冷蔵庫の製氷室の庫内照明の斜視図
【図５】従来の冷蔵庫の庫内照明を製氷室の庫内天面に設置した概略図
【符号の説明】
【００５０】
１    収納室
２    外壁
３    内壁
４    断熱材
５    断熱壁
６    凹部
７    庫内照明
８    ＬＥＤ
９    プリント基板
１０  収納棚
１１  凹部取り付け面
１２  ランプカバー
１３  凹部上面
１４  凹部下面
１５  凹部側面
１６  照射範囲
１７  有効容積
１８  側壁面
１９  最大光度
【図１】
2008073153.tif 000003
【図２】
2008073153.tif 000004
【図３】
2008073153.tif 000005
【図４】
2008073153.tif 000006
【図５】
2008073153.tif 000007